(57)【要約】【課題】  空調機からの冷風が、直接当たると、冷え性のほか、体のバランスにも影響を及ぼす。本出願人は、特開２０１１−００２１３４号公報に記載の「空気調和機のファン装置」を提案する。吹出口の風を利用して回転し、空調機からの冷風を、撹拌することを特徴とする。低コスト化が図れることで、好評を博している。吹出口の冷風が、ウエーブ状に凪いだ風となることから、更なる工夫が要望されてきた。【解決手段】  空調機の吸込口より吸込まれる風で回転するように配設した第１羽根と、吹出口に設けられる第２羽根と、第１・第２羽根車を支持するスポーク、ハブ部材と、ハブ部材を支持するケースと、ケースを支持する支持部材と、で構成した空調機の気流撹拌装置。吸込口の風を利用し、所定の回転で、かつ均等が取れた回転を確保し、安定した冷風を、室内に供給し、室内の空気の撹拌と、冷暖房効率向上と、省エネが図れる。【選択図】    図１
2014219123.tif 000002
【特許請求の範囲】
【請求項１】
空調機の吸込口より吸込まれる風により回転するように配設される第１羽根と、
前記空調機の吹出口に設けられる第２羽根と、
前記第１・第２羽根車を支持するスポークと、
このスポークの中心部を支持するハブ部材と、
このハブ部材を支持する前記吸込口に支持されるケースと、
このケースを支持する、前記吸込口に設けた支持部材と、
で構成した空調機の気流撹拌装置。
【請求項２】
請求項１に記載の空調機の気流撹拌装置であって、
前記第１羽根は、前記スポークの軸方向に直交する面に、傾斜した状態で設けられている構成とした空調機の気流撹拌装置。
【請求項３】
請求項１に記載の空調機の気流撹拌装置であって、
前記第２羽根の上面は、前記スポークの軸方向に直交する面と、面一に設けられる構成とし、前記吹出口の風を遮り、かつこの遮った風を、放射方向に拡散する構成とした空調機の気流撹拌装置。
【請求項４】
請求項１に記載の空調機の気流撹拌装置であって、
前記第１羽根と、前記第２羽根を、一体構造とする構成とした空調機の気流撹拌装置。
【請求項５】
請求項１に記載の空調機の気流撹拌装置であって、
前記第１羽根、及び／又は、第２羽根を、透明樹脂板、又は半透明樹脂板でなる構成とした空調機の気流撹拌装置。
【請求項６】
請求項１に記載の空調機の気流撹拌装置であって、
前記第２羽根は、前記吹出口の風では、回転しない構成とした空調機の気流撹拌装置。
【発明の詳細な説明】
【技術分野】
【０００１】
本発明は、空調機（空気調和機：エアコン）に取付けられる空調機の気流撹拌装置（ファン装置）に関する。
【背景技術】
【０００２】
空調機からの冷風が、直接当たると、冷え性のほか、体のバランスにも影響を及ぼすと考えられている。そこで、本出願人は、特開２０１１−００２１３４号公報に記載の「空気調和機のファン装置」を提案する。この発明は、吹出口の風を利用して回転し、空調機からの冷風を、撹拌することを特徴とする。この発明は、効果と低コスト化が図れることで、好評を博している。しかしながら、吹出口の冷風が、ウエーブ状に凪いだ風となることから、更なる工夫が要望される状況となっている。
【０００３】
そこで、本発明は、吸込口の風を利用し、所定の回転で、かつ均等な回転を確保し、安定した冷風を、室内に供給すること、及び室内の空気の撹拌と、冷暖房効率向上と、省エネを図ることを意図する。
【０００４】
【特許文献１】特開２０１１−００２１３４号公報
【発明の開示】
【発明が解決しようとする課題】
【０００５】
本発明は、従来の発明を、一層発展し、次の目的達成を意図する。即ち、空調機の吸込口の風を利用し、所定の回転で、かつ均等が取れた回転を確保し、安定した冷風を（温風も同じ）、室内に供給し、室内の空気の撹拌と、冷房（暖房）効率向上と、省エネを図ることを意図する。
【課題を解決するための手段】
【０００６】
本発明は、前述した目的達成を意図し、次のような請求項１〜請求項６の発明を提供する。
【０００７】
請求項１では、空調機の吸込口より吸込まれる風により回転するように配設される第１羽根と、
前記空調機の吹出口に設けられる第２羽根と、
前記第１・第２羽根車を支持するスポークと、
このスポークの中心部を支持するハブ部材と、
このハブ部材を支持する前記吸込口に支持されるケースと、
このケースを支持する、前記吸込口に設けた支持部材と、
で構成した空調機の気流撹拌装置とした。
【０００８】
請求項２では、請求項１に記載の空調機の気流撹拌装置であって、
前記第１羽根は、前記スポークの軸方向に直交する面に、傾斜した状態で設けられている構成とした空調機の気流撹拌装置とした。
【０００９】
請求項３では、請求項１に記載の空調機の気流撹拌装置であって、
前記第２羽根の上面は、前記スポークの軸方向に直交する面と、面一に設けられる構成とし、前記吹出口の風を遮り、かつこの遮った風を、放射方向に拡散する構成とした空調機の気流撹拌装置とした。
【００１０】
請求項４では、請求項１に記載の空調機の気流撹拌装置であって、
前記第１羽根と、前記第２羽根を、一体構造とする構成とした空調機の気流撹拌装置とした。
【００１１】
請求項５では、請求項１に記載の空調機の気流撹拌装置であって、
前記第１羽根、及び／又は、第２羽根を、透明樹脂板、又は半透明樹脂板でなる構成とした空調機の気流撹拌装置とした。
【００１２】
請求項６では、請求項１に記載の空調機の気流撹拌装置であって、
前記第２羽根は、前記吹出口の風では、回転しない構成とした空調機の気流撹拌装置とした。
【発明の効果】
【００１３】
請求項１では、空調機の吸込口より吸込まれる風により回転するように配設される第１羽根と、吹出口に設けられる第２羽根と、第１・第２羽根車を支持するスポーク、及びスポークを支持するハブ部材と、ハブ部材を支持するケースと、ケースを支持する支持部材と、で構成した空調機の気流撹拌装置としたので、「イ」として、吸込口の風を利用し、所定の回転で、かつ均等が取れた回転を確保し、安定した冷風を、室内に供給し、室内の空気の撹拌と、冷暖房効率向上と、省エネが図れること、「ロ」として、第１羽根を、吸込まれる風で、スポーク、及び第２羽根の回転を達成することから、回転スピードの均一化と、ブレ解消に有益であること、等の効果がある。
【００１４】
請求項２では、第１羽根は、スポークの軸方向に直交する面に、傾斜した状態で設けられている構成とした空調機の気流撹拌装置としたので、前記「イ」と「ロ」に併せて、「ハ」として、第１羽根の傾斜調整で、スポーク、及び第２羽根の回転スピードを変更可能とし、ウエーブ状に凪いだ風による空気の攪拌も達成可能となる効果がある。
【００１５】
請求項３では、第２羽根の上面は、スポークの軸方向に直交する面と、面一に設けられる構成とし、吹出口の風を遮り、かつこの遮った風を、放射方向に拡散する構成とした空調機の気流撹拌装置としたので、前記「イ」と「ロ」の効果を達成できる、第２羽根の構造を提供できる効果がある。
【００１６】
請求項４では、第１羽根と、第２羽根を、一体構造とする構成とした空調機の気流撹拌装置としたので、前記「イ」と「ロ」に併せて、「ニ」として、第１・第２羽根構造の簡略化と、コストの低廉化などに寄与できる効果がある。
【００１７】
請求項５では、第１羽根、及び／又は、第２羽根を、透明樹脂板、又は半透明樹脂板でなる構成とした空調機の気流撹拌装置としたので、前記「イ」と「ロ」の効果を達成できる、第１・第２羽根の構造を提供できる効果がある。
【００１８】
請求項６では、第２羽根は、吹出口の風では、回転しない構成とした空調機の気流撹拌装置としたので、前記「イ」と「ロ」の効果を達成できる、第２羽根の構造を提供できる効果がある。
【図面の簡単な説明】
【００１９】
【図１】気流撹拌装置を仰視した斜視図
【図２】気流撹拌装置の側面図
【図３】気流撹拌装置の平面図
【図４】気流撹拌装置を空調機に取付けた状態の側面図
【図５】気流撹拌装置を空調機に取付けた状態の仰視図
【図６−１】気流撹拌装置の支持部材、ケース、並びにハブ部材等の一例の要部を示した拡大断面図
【図６−２】気流撹拌装置の支持部材、ケース、並びにハブ部材等の他の一例の要部を示した拡大断面図
【図６−３】気流撹拌装置の支持部材、ケース、並びにハブ部材等の別の一例の要部を示した拡大断面図
【発明を実施するための最良の形態】
【００２０】
本発明の好ましい実施例を、順に説明する。
【００２１】
１は天井埋込型の空調機であり、この空調機１は、中心部に吸込口１００を有しており、その外側辺部に吹出口１０１を有する構造であって、室内の空気を吸込口１００で吸込み、この吸込んだ空気を、冷暖気に空調して、吹出口１０１より、室内に吹出す構造である。
【００２２】
吸込口１００には第１羽根２が、吸込面１００ａに傾斜して設けられており、この吸込口１００より吸込まれる風Ｘ１により回転するように配設される。また、吹出口１０１には第２羽根３が、吹出面１０１ａに水平に設けられており、この吹出口１０１より吹出される風Ｘ２を遮り、かつ風Ｘ２を撹拌する（又は、放射方向に流す）ように配設される。この第２羽根３は、吹出口１０１の風Ｘ２（冷暖気：空気）では回転しない。
【００２３】
図１の如く、第１、第２羽根２、３は、ハブ部材５の放射方向に、複数本設けたスポーク６に設けられており、スポーク６の軸芯基端側６ａ（ハブ部材５側）に、第１羽根２を、その自由端側６ｂに第２羽根３がそれぞれ設けられている。また、図１〜図３の如く、この第１羽根２は、スポーク６の軸方向６ｃに直交する面６ｃ−１に、傾斜した状態で設けられる。尚、この傾斜角度は変更可能とする。第２羽根３の上面３ａは、スポーク６の軸方向６ｃに直交する面６ｃ−１と、面一に設けられる。尚、この面一は変更可能とする。そして、この第１羽根２には、吸込口１００に吸込まれる風（吸引される風）を受けて回転力が付与されるとともに、この回転力で、スポーク６、及び第２羽根３が回転する。また、この第２羽根３は、吹出口１０１の風を遮り、かつこの遮った風を、空調機１の放射方向１ａに撹拌する。
【００２４】
空調機１の吸込口１００には、後付方式の支持部材７が設けられる。支持部材７は、吸込口１００のルーバー１００−１を挟み込むようにして設けられる二枚の板材７００、７００（対の構造では、一方の符号を書する。以下同じ）と、この二枚の板材７００を緊締する止具７０１で構成する。このようにして、吸込口１００に設けられた支持部材７には、ケース８（吊下部材）が配備されているとともに、このケース８の下端に、前記ハブ部材５が設けられる。この吸込口１００に設けた支持部材７と、ケース８、並びに、前記ハブ部材５、及びこのハブ部材５に設けたスポーク６とにより、前記第１羽根２が、吸込口１００に、第２羽根３が、吹出口１０１に、それぞれ配設される。前述の如く、第１羽根２は、吸込口１００に吸込まれる風を受けて回転し、この回転で、スポーク６に設けた第２羽根３が、同時に回転する。
【００２５】
ハブ部材５の各実施例を説明すると、  ：  図６−１に示した一例は、シャフト８０（ケース８）に設けたハブ部材５であり、シャフト８０に遊嵌した回転板５０（ハブ）と、この回転板５０の下方に設けたベアリング５１と、止具５２とでなる構造である。この回転板５０には、スポーク６を直接設ける構造である。この一例では、各第１羽根２が、それぞれの第１羽根２間を流れる吸込空気を受けて回転する（旋回する）と、この回転で、回転板５０、及びスポーク６が回転し、併せて第２羽根３が回転する。この第２羽根３の回転と、特徴は前述の通りである。  ：  図６−２に示した他の一例は、、ケース８の下端（例えば、内底）に設けた止めナット５３と、この止めナット５３に下方より螺着されるボルト５４と、このボルト５４に遊嵌した回転板５０と、止めナット５３とボルト５４との間に設けたベアリング５１とでなる構造であり、前述の一例に準ずる。この回転板５０には、スポーク６を差込むドーム形状の筒部５０ａを複数個設け、この各筒部５０ａにスポーク６の基端側を差込み、図示しない止具を利用して、固定する。  ：  図６−３に示した別の一例は、ケース８の下端（例えば、内底）に設けた止めナット５３と、この止めナット５３に下方より螺着されるボルト５４と、このボルト５４に遊嵌した回転板５０と、この回転板５０の上に設けたスポーク６の差込み溝５５ａを複数条形成した環状弾性でなるユニット５５と、このユニット５５に圧着される押え板５６と、前記ボルト５４で鉛直方向の下端に設けた基板５７と、この基板５７の放射方向に設けた複数本の取付軸５８にそれぞれ設けた各ローラ５９と、前記回転板５０を支え、かつ前記基板５７、取付軸５８、及びローラ５９を覆うカバー６０（尚、カバー６０は、ボルト５４に一体化する）と、前記押え板５６をユニット５５に圧着する複数本のボルト６１とで構成する。この別の例では、スポーク６の基端を、差込み溝５５ａに差込み、回転板５０と押え板５６とを、複数本のボルト６１で挾持して固定する。この固定されたスポーク６に設けた各第１羽根２は、それぞれの第１羽根２間を流れる吸込空気を受けて、回転する（旋回する）が、この回転は、スポーク６が固定されている回転板５０に伝わるとともに、この回転板５０の回転は、ロータリー式のローラ５９に架承されていることで確保される。また、回転板５０のスムースで、かつ安定的な回転となる。また、この回転板５０、及びスポーク６が回転し、併せて第２羽根３が回転する。第２羽根３の回転は、吹出口１０１からの冷気を一時的に遮断し、下方に冷気が連続的に至らず、冷気弊害の解消を図りつつ、この冷気を放射方向に運び、空気の撹拌を助成する。
【００２６】
第１、第２羽根２、３は、実施例では、分離した構造であるが、一体構造であって、第１羽根２に相当する羽根部が、スポーク６の軸方向６ｃに直交する面６ｃ−１に、傾斜した状態で設ける構造とし、また、第２羽根３に相当する羽根部が、直交する面６ｃ−１と、面一に設ける構造とする。
【００２７】
また、第１、第２羽根２、３は、例えば、透明樹脂板、又は半透明樹脂板として、爽やかな感覚、瀟洒な感覚を発揮する。
【００２８】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００２９】
１          空調機
１ａ        放射方向
１００      吸込口
１００−１  ルーバー
１００ａ    吸込面
１０１      吹出口
１０１ａ    吹出面
２          第１羽根
３          第２羽根
３ａ        上面
５          ハブ部材
５０        回転板（ハブ）
５０ａ      筒部
５１        ベアリング
５２        止具
５３        止めナット
５４        ボルト
５５        ユニット
５５ａ      差込み溝
５６        押え板
５７        基板
５８        取付軸
５９        ローラ
６０        カバー
６１        ボルト
６          スポーク
６ａ        基端側
６ｂ        自由端側
６ｃ        軸方向
６ｃ−１    直交する面
７          支持部材
７００      板材
７０１      止具
８          ケース
８０        シャフト
Ｘ１        風
Ｘ２        風
【図１】
2014219123.tif 000003
【図２】
2014219123.tif 000004
【図３】
2014219123.tif 000005
【図４】
2014219123.tif 000006
【図５】
2014219123.tif 000007
【図６−１】
2014219123.tif 000008
【図６−２】
2014219123.tif 000009
【図６−３】
2014219123.tif 000010